(57)【要約】【課題】従来のクリップは、挟持操作に両手を必要とする不便課題や予め複数枚の挟持状態から一枚目を抜取ると残紙が脱落する重大な欠点課題があった。【解決手段】好ましい実施例では、透明合成樹脂で成形した裏面ブラケットと表面パネルを端部で合体支持構成し、該裏面ブラケット溝に用紙押圧部材としてカラーチューブを配設するとともに、該チューブに覆設状態に薄膜シートを設けて用紙を前記表面パネルと薄膜シート間に挟持保持し開口上部から抜取る構成のペーパーホルダーである。  上記薄膜シートとしては、ポリエチレンテレフタレート（ＰＥＴ）基板に合成樹脂素材をコーティングしたものを用いると好適である。特に、本発明は用紙のワンタッチ挿入の課題解消とともに挟持紙抜取り時におけるの落下課題を解消し、ユニークで見栄えが良く、メモ紙のクリップやキーボードからの入力作業時にモニタ側方に原稿ホルダーとして用いた場合等に優れた効果を発揮する。【選択図】    図１
2005160693.tif 000002
【特許請求の範囲】
【請求項１】
裏面ブラケットと表面パネルとを備えるとともに、双方の内壁部が所定間隙で対向開口状に形成される様に、少なくとも、一端部で合体支持構成したことと、弾力を有する用紙押圧部材を前記裏面ブラケットの内壁部に配設したことと、該押圧部材に覆い被せ状態に薄膜シートを設けたことと、前記開口部から挿入した用紙を前記薄膜シートと前記表面パネル間に挟持保持し得るよう構成したこととを特徴とするペーパーホルダー。
【請求項２】
前記裏面ブラケットに溝を形成してゴム製チューブを配設して用紙押圧部材としたことと、前記開口形成された下部や横方向からの挿入用紙を前記薄膜シートと前記表面パネル間に挟持保持し、該挟持紙を前記開口上部から抜取る様に構成したこととを特徴とする請求項１記載のペーパーホルダー。
【請求項３】
前記薄膜シートとして、ポリエチレンテレフタレート（ＰＥＴ）基板に合成樹脂素材をコーティングして摺接面とするとともに、該薄膜シート端部を前記裏面ブラケットに貼着形成したこととを特徴とする請求項１及び２の何れかに記載のペーパーホルダー。
【請求項４】
前記ペーパーホルダー筐体に透明性の合成樹脂素材を用いるとともに、押圧部材としてカラーゴムチューブを用いて構成したこととを特徴とする請求項１〜３の何れかに記載のペーパーホルダー。
【請求項５】
前記薄膜シートの摺接面に文字を印刷したことを特徴とする請求項１〜４の何れかに記載のペーパーホルダー。
【請求項６】
前記合体支持部に回動穴を設け、回動動作をし得る様に構成するとともに、表面パネルにカーソル線を形成したことを特徴とする請求項１〜５の何れかに記載のペーパーホルダー。
【請求項７】
前記合体支持端近傍を表面パネル側に折れ曲った形状として、用紙を湾曲状に挟持し得る様に構成したことを特徴とする請求項１〜６の何れかに記載のペーパーホルダー。
【発明の詳細な説明】
【技術分野】
【０００１】
本発明は、メモ用紙や書類等をクリップ保持する場合、パソコンへの入力作業時に原稿や資料等を一時的に挟持保持し、更に、保持した挟持紙から所要の一枚ずつを抜取る為のペーパーホルダーである。
【背景技術】
【０００２】
従来、用紙（本特許願では、用紙のことを挟持紙、又は原稿と称して説明することもある）をクリップする保持具としてバネ式やマグネット式等が用いられている。又、パーソナルコンピュータ（パソコン）等への入力作業時に原稿類をモニタ近くに挟持する保持具として図１２に例示するようなデータスタンド３０等が古くから普及している。
即ち、図１２のデータスタンド３０は、例えば、図示の台座付きスタンド３１に角度や高さ調整機構を備えて、該ボード３２上にばね式クリップ５０やカーソル２８が配設された原稿Ｐの保持具である。
一方、両側からゴムヒゲを突き合わせて用紙を挟持する様にした文献（例えば、特許文献１）が開示されている。
【特許文献１】特許第２５２９６１７号公報
【発明の開示】
【発明が解決しようとする課題】
【０００３】
例えば、上記特許文献１の特許第２５２９６１７号公報に開示されている紙挟み５１の公知技術から引用した断面図を図１３に示す。この紙挟み５１では植毛状に形成したゴムヒゲ５４でゴムヒゲ板５５を形成し、該ゴムヒゲ板５５を正面枠板５２と背面枠板５３に取付けて接合５６して、用紙を両側に配置したゴムヒゲ弾力で挟持保持する様にした構成により製品として具現化されている。
しかし、実際に該製品に数枚以上のＡ４サイズ紙を挟持して表側の一枚目を引き抜くと、二枚目以降の残紙が同時に抜け落ちてしまう欠点があり、本発明が狙いとするような、即ち、予め多数枚の原稿をセットした状態から用済みの一枚ずつを抜取る使用目的には供し得ない。更に、例えば図１３において横方向（紙面と垂直方向）から用紙を挿入しようとした際は紙端がゴムヒゲに当たってしまので、横方向からの用紙挿入は本開示技術を含め、従来のクリップ構成では適えられない。
【０００４】
一方、図１２に例示したデータスタンド３０等に用いる代表的なクリップ５０には、従来から板バネ式、コイルばね式、マグネット式等のものが用いられている。しかし、従来のクリップでデータスタンド３０の挟持部を構成し、予め複数枚の原稿Ｐをクリップ５０した状態から入力済みの一枚目を下方に抜取ると、大抵の場合、他の挟持原稿も一挙に抜け落ちてしまう不便課題がある。
即ち、前記特許文献の開示技術を含む従来のクリップ５０においては一枚ずつの原稿Ｐを一々着脱するか、予め複数枚をセットした場合は一枚ずつの抜取りや原稿Ｐの追加に関連し両手を使って、一旦、用紙を取外し再度設定し直す煩わしい操作を要する不便課題がある。従って、原稿ホルダーとして用いる場合は入力作業の効率が低下する原因にもなっていた。
【０００５】
一方、本出願人は、先に本発明と内容関連し複数枚の挟持状態から残紙が抜け落ちずに所要の一枚ずつ抜取ることを課題としたペーパーホルダー（なお、以下の説明ではペーパーホルダーのことをＰＨと称して説明することもある）の発明を行い、既に、特許願２００２−３５２３３５号として特許出願中である。上記特許願における押圧部材の好ましい実施例としては、傾斜面にローラーやボール（球体）の所謂転動体を用いた構成について主に記載されている。
しかし、図１１を参照にして以下に記述する様に弾性体ゴムを押圧部材７として、特に、横方向からの用紙挿入の実現には困難課題があった。
【０００６】
さて、予め多数枚の用紙セット状態から残紙を落下させることなく一枚ずつを抜取るＰＨ課題は、従来の公知技術の様に用紙の下挿入、下抜取りによる挟持構成方法では解決が図り得ず、用紙を横又は下挿入にするとともに上方向への抜取り構成とする挟持構成が不可欠な構成条件であることを本出願人は、多くの試行錯誤と試作実験の積み重ね結果から実証確認し確信を深めた。
即ち、本発明は上記技術課題に鑑み、挟持紙Ｐの抜取りに伴って抜落ちないＰＨ課題達成の為、上抜取りを前提として横又は下挿入とする基本構成のＰＨ実現の為、上記課題と併せ、ＰＨやクリップの最重要課題であり要望機能である用紙の「入れ易さ」に関連して、特に、横方向からのワンタッチ挿入の実現を図る。
【０００７】
さて、本特許願では構成要点を理解し易くする為に同一図番中での各構成部分の名称（用語）について、同様な作用をする部分に関しては同様な名称や符号を用いて各図面中に記載し以下図面と共に説明する。
図１１は、本発明に至る前記技術課題を説明する為の実験モデル筐体１Ｊである。即ち、図１１はゴム素材等の弾性体を押圧部材７として該押圧力で用紙を押圧保持し、ＰＨ挟持部を構成する場合の解決すべき課題とともに本発明が克服すべき技術課題を説明する図解図として示したものであり、最初に、図１１の実験モデルの各図に基づいて説明する。
【０００８】
図１１（ａ）、（ｆ）は例えば透明アクリル板を用いて裏面ブラケット３、表面パネル２を間隙（ｄ）５で図示の様に対向配置し、三方を開口して合体支持部４で固着したＰＨの実験モデル筐体１Ｊである。裏面ブラケット３内壁には図１１（ｂ）に断面を示すような長手方向に半径Ｒ（５ｍｍ）の溝６が加工され、該溝６に外径ｄ１（８．５ｍｍ）、内径ｄ２（６ｍｍ）のゴムチューブ７（なお、以下の説明では押圧部材のことをゴムチューブ又は単にチューブと称して説明することもある）が挿入配置されている。
一方、図１１（ｃ）はチューブ７が溝６に配設されて裏面ブラケット３と表面パネル２が間隙５（ｄ：３ｍｍ）で対向したＸ−Ｘ線断面を示す。即ち、本実験モデル１Ｊでは、チューブ直径が０．５ｍｍだけ圧迫変形された押圧力で表面パネル２を押圧することになる。
【０００９】
今、図１１（ａ）の構成として下挿入５ｃ方向からの挿入状況をＸ−Ｘ線断面で示したのが図１１（ｃ）である。この場合、一点斜線の楕円内に示す様に用紙Ｐ端とチューブ７周縁部とが当接されてしまうので用紙Ｐの挿入は困難である。
そして、挟持状態から挟持紙Ｐを上抜取５ｂ方向に引張った状況が図１１（ｄ）の断面図である。図示の様に摩擦抵抗が大きいチューブ周面は摺接摩擦力で引き擦られてしまい、図の様に変形されて益々食い込まれ、挟持紙Ｐは上抜取５方向（又は下方）に容易には抜取れない状況となる。
一方、図１１（ｅ）は図１１（ａ）の上側から見たＹ−Ｙ線の断面図である。図１１（ｅ）に示す様に用紙Ｐを横挿入５ａしようとすると、楕円内に囲って示す様に用紙端とチューブ縁部とが当接されるので、用紙Ｐの横挿入５ａは出来ない。
【００１０】
ところで、図１１（ｆ）は前記図１１（ａ）の実験モデル筐体１Ｊに前記弾性ゴムで加工した串歯状ゴム３３を押圧部材７として配設した斜視図を示しており、図１１（ｇ）及び図１１（ｈ）は前記同様のＸ−Ｘ、Ｙ−Ｙ線の断面状況を示す。この場合、下挿入５ｃ方向からの用紙Ｐ挿入に対しては串歯状ゴム３３の順方向挿入となるので用紙Ｐの挿入が出来て図１１（ｇ）の挟持対応となり、且つ、上抜取５ｂ方向に抜取れる。
しかし、図１１（ｈ）にＹ−Ｙ線断面を示す様に横挿入５ａに対しては楕円内において用紙端が串歯状ゴム端に当たるので、前記図１１（ｅ）のチューブ７及び前記図１３におけるゴムヒゲ５４の場合同様、用紙Ｐの横挿入５ａは出来ない。
【００１１】
次に、図１１（ｇ）の複数Ｎ枚の挟持状況から表面パネル２に接した一枚目を抜取った場合は二枚目以降の残紙は抜け落ちることなく、且つ、一緒に引上げられない。即ち、前記抜取り時の課題は本挟持構成により一応達成される。該理由については後述する。
しかし、図１１に示した押圧部材７の如何に関わらず、横挿入５ａに対する課題解消は図れず、勿論、本発明が目的とするＰＨ機能は実験モデル構成のままでは達成し得ない。
【００１２】
そこで、本発明ＰＨは上記課題に鑑み下記各項における課題解決を狙いとする。
１）予め多数枚（Ａ４用紙２０枚位）を挟持保持した状態から、一枚ずつ抜取っても残紙が落下しない機能を達成する為、上方向への抜取りと併せて、用紙Ｐのワンタッチ横挿入の実現を課題とする。
２）上記課題解消により、キーボードからの入力作業時にモニタ側方に原稿を掲示する原稿ホルダーとして優れた効果を発揮するＰＨを提供する。
３）上記好ましい実施例としては、筐体を透明合成樹脂素材で成形するとともに押圧部材にカラーチューブを用い、ユニークで見栄え良く、メモ用紙のクリップに要望される機能は勿論、原稿ホルダーとして用いた場合にも大いに優れた機能効果を発揮する上記クリップ機能を備えたＰＨ提供を目的とする。
【課題を解決するための手段】
【００１３】
前記課題を解決する為に本発明では、裏面ブラケットと表面パネルとを備えるとともに、双方の内壁部が所定間隙で対向開口状に形成される様に、少なくとも、一端部で合体支持構成したことと、弾力を有する用紙押圧部材を前記裏面ブラケットの内壁部に配設したことと、該押圧部材に覆い被せ状態に薄膜シートを設けたことと、前記開口部から挿入した用紙を前記薄膜シートと前記表面パネル間に挟持保持し得るよう構成したペーパーホルダー（ＰＨ）である（請求項１）。
【００１４】
そして、上記請求項１に記載のＰＨおける前記裏面ブラケットに形成された溝にゴム製チューブを配設して用紙押圧部材としたことと、前記開口形成された下部や横方向からの挿入用紙を前記薄膜シートと前記表面パネル間に挟持保持し、該挟持紙を前記開口上部から抜取る様に構成することが好ましい（請求項２）。
【００１５】
また、上記請求項１及び２に記載のＰＨにおける前記薄膜シートとして、ポリエチレンテレフタレート（ＰＥＴ）基板に合成樹脂素材をコーティングして摺接面とするとともに、該薄膜シート端部を前記裏面ブラケットに貼着形成することが好ましい（請求項３）。
【００１６】
また、上記請求項１〜３に記載のＰＨにおける前記ペーパーホルダー筐体に透明性の合成樹脂素材を用いるとともに、押圧部材としてカラーゴムチューブを用いて構成することが好ましい（請求項４）。
【００１７】
また、上記請求項１〜４に記載のＰＨにおける前記薄膜シートの摺接面に文字を印刷して用いることが好ましい（請求項５）。
【００１８】
また、上記請求項１〜５に記載のＰＨにおける前記合体支持部に回動穴を設け、回動動作をし得る様に構成するとともに、表面パネルにカーソル線を形成することが好ましい（請求項６）。
【００１９】
また、上記請求項１〜６に記載のＰＨにおける前記合体支持端近傍を表面パネル側に折れ曲った形状として、用紙を湾曲状に挟持し得る様に構成することが好ましい（請求項７）。
【００２０】
ここで、本発明が前記解決を図ろうとする課題である予め複数枚の挟持状態から、一枚ずつを抜取った際に残紙が抜け落ちず、且つ、隣接紙が一緒に引上げられない事由について、前記図１１に実験モデル断面として示した図１１（ｇ）に基づいて説明する。
上記事由を列記すると以下の通りである。
１）懸吊保持された挟持紙Ｐには、自重（質量）に応じた重力が作用する。
２）挟持紙Ｐを上下方向に摺動した際、挟持紙Ｐ間には摺動摩擦力が作用する。
３）図１１（ｇ）に示す様に挟持紙Ｐから一枚目を引上げた際に、二枚目以降Ｎ枚の残紙は、押圧部材の弾力に応じた押圧力で表面パネルに常に押圧されているので、一枚目を引上げた瞬間に二枚目と表面パネル間に空隙が生じることなく残紙は落下しない。
【００２１】
４）一方、図１１（ｇ）の様に上抜取５ｂ方向に一枚目を引上げた際、一枚目から二枚目以降に及ぼす上向きの重力に抗した摺動摩擦力が押圧部材７の押圧力でＮ枚目から二枚目に及ぼす摩擦力＋用紙重力に勝らない限り、二枚目以降の挟持紙Ｐが一緒に持上げられることなく、この場合、残紙は挟持保持されたままの状態となる。
しかし、図１１の実験モデルのままでは前記横方向５ａからの挿入課題は未解決のままであり、本発明は前記図１１（ｃ）における挟持機能の活用を図ることに加え、特に、ワンタッチ横挿入によるＰＨ構成を課題として該実現を図る。
【発明の効果】
【００２２】
本発明のＰＨには、以下に列記する効果がある。
１）ゴム製チューブやゴム板、更には、薄ばね板素材等を押圧部材としてＰＨを構成する場合、横又は下方向からの用紙挿入に課題があった。
本発明では、最良の実施形態としてＰＥＴ（ポリエチレンテレフタレート）基板に樹脂素材をコーティングした薄膜シートを前記押圧部材に覆設形成し、該潤滑性に富むＰＥＴシートと表面パネル間に用紙を挿入する構成として前記挿入課題を解消し、特に、横方向からのワンタッチ挿入による操作性良好なＰＨを実現し得る。
２）上記１項記載の横挿入課題の解消に関連して、用紙Ｐの横又は下挿入及び上抜取りの基本構成により、予め多数枚（Ａ４用紙２０枚位）を挟持保持した状態から、一枚ずつ抜取った場合も残紙が落下せず、且つ、隣接紙が引き摺られない優れた挟持機能のＰＨが実現し得る。
【００２３】
３）上記挟持機能と関連して、本ＰＨをキーボードからの入力作業時にモニタ側方に原稿や資料類を掲示する原稿ホルダーとした場合は、予め多数枚の原稿をセットした状態から入力済みの一枚ずつが抜取れるので、入力作業が効率的に行い得る。
４）上記好ましい実施例ＰＨとしては、筐体を透明合成樹脂素材で成形するとともにカラーチューブを押圧部材に用いることによりユニークで見栄えが良く、且つ、原稿ホルダーやメモクリック等、使用目的に応じてホルダー筐体の表面、裏面を反転取付けして使い分けることが出来るので大いに便利である。
５）上記１項に記載の薄膜シートとしてカラー用ＯＨＰシートを用いる場合は、該シート表面に、商品の取扱い方法、特徴、メーカ名等をカラー印刷出来るので一挙両得である。
６）本ＰＨは、所謂、片端支持型として横方向からのワンタッチ挿入による落ちないクリップ機能により、電話器近傍や車のダッシュボード、更には、モニタ、冷蔵庫、本棚等に貼着するメモクリップから原稿ホルダーに至る全クリップ製品に発明効果を発揮する。
７）構造が簡単な為、低コスト実施が図れる。
【発明を実施するための最良の形態】
【００２４】
用紙がワンタッチ挿入出来て、挟持紙が抜け落ちずに一枚抜取りが出来るＰＨを実現する。以下、各実施例について図面を参照しつつ説明する。
【実施例１】
【００２５】
図１の各図は第１実施例ペーパーホルダー（ＰＨ）１に関し、図１（ａ）は外観斜視図を示す。本発明の構成要点や特徴は第１実施例の説明によって充分明らかになる。
さて、本特許願のＰＨ１の各実施例では表面パネル２や裏面ブラケット３を透明性の合成樹脂素材で加工形成したことに関連してホルダー筐体内部が透けて見えることになる。
従って、各実施例の各図面では構成内部の主要部品を細線で図解表示してある。図１（ｄ）の断面図の様に裏面ブラケット３には溝６が加工されてチューブ７が配設され、表面パネル２が間隙（ｄ）５により合体支持部４で一体固着されてＰＨ１が形成されている。
図１（ａ）の斜視図において、黒矢印の横挿入５ａや下挿入５ｃ方向からの原稿（用紙）Ｐを下の断面図に示す様に薄膜シート９と表面パネル２間に挟持保持し、白矢印の抜取５ｂの上方向に抜取るＰＨ１の第１実施例である。
【００２６】
図１（ｂ）、図１（ｃ）は、ＰＨ１における複数Ｎ枚の挟持状態を示しており、図１（ｂ）は表面パネル２側から見た斜視図、図１（ｃ）は裏面ブラケット３側から見た斜視図を各々示している。そして、図１（ｄ）及び図１（ｅ）の各断面図は、図１（ｂ）、図１（ｃ）における複数Ｎ枚の挟持状態から、図１（ｂ）の様に一枚目を上抜取５ｂする際のＡ−Ａ線断面及びＢ−Ｂ線断面を夫々示している。
又、本ＰＨ１の特徴の一つは後述する実施例（例えば、図６参照）の様に原稿ホルダーとした場合に、図１（ｂ）の様に表面パネル２のカーソル線８に合わせて原稿入力行を徐々に引上げ係止する操作で入力行の視認作業時に便利な効果を発揮する。
【００２７】
さて、ここで本発明ＰＨ１の構成要点を理解し易くする為に構成細部や部品及び組立て手順を示した図２に基づいて説明する。
図２（ａ）、図２（ｂ）は合体前の前記表面パネル２と裏面ブラケット３の内壁部を上向きに示しており、好ましい実施例としては透明な合成樹脂素材で成形加工され、図示の様に表面パネル２の一端には挿入ガイド部２ａ、他端には凸部２ｂ、そして、カーソル線８がシルク印刷や刻印によって形成されている。
一方の裏面ブラケット３の一端には、挿入ガイド部３ａ、押圧部材７のチューブ溝６が形成され、該溝６に複数個のチューブを分割配設する場合は点線で示す様に仕切塀６ａを設けてもよい。なお、押圧部材７としてのチューブは挿入口近傍にのみ配設しても挟持機能の目的は果せる。
一方、他端部には図２（ｆ）の様に合体組立された状態で間隙（ｄ）５を形成する図示の棚高さｄの棚部３ｃとともに凹溝３ｂが形成されおり、溝６にチューブ７を挿入し前記表面パネル２の凸部２ｂとで図２（ｄ）の様に位置決め嵌合して合体支持部４が組立される。
【００２８】
ところで、本発明ＰＨ１では前記横方向の挿入課題を下記構成として課題解消し、ワンタッチによる横挿入を実現したものである。
図２（ｃ）に本発明の要部をなす薄膜シート９を示す。該シート素材の好ましい実施形態としては、前記した様に例えばポリエチレンテレフタレート（ＰＥＴ）を基板として、表面に熱硬化性合成樹脂又は熱可塑性合成樹脂素材をコーティングした薄膜シート９である。因みに、該コーティングに用いるバインダーはウレタン樹脂、フィラー（シリカ、アルミナ、プラスチック微粉末）、帯電防止剤及び溶媒で構成されおり本発明の薄膜シート９に適用した際に好適な粘性抵抗が発揮される。
該薄膜シート９の具体的実施例としては、例えば、インクジェット用のカラーＯＨＰシート製品がある。該製品として、全厚＝１２５μｍのものがあり薄膜シート９に適用することで満足な結果が得られる。
即ち、図２（ｃ）は上記素材による透明性の薄膜シート９を裏面ブラケット３の寸法に合わせて折曲げ加工し、該折曲げ部分９ａに透明な両面粘着テープ９ｂを貼着した状態を示している。図２（ｄ）は裏面ブラケット３の溝６にチューブ７を挿入後、薄膜シート９を図示の様に該チューブ７表面に覆い被せ状態に覆設して、折曲げ部分を裏面ブラケット３に貼着９ｂした状態を示している。前記図２（ｄ）の状態から、裏面ブラケット３の凹溝３ｂに表面パネル２の凸部２ｂを圧入固着し合体支持部４で組立したＰＨ１が図１１（ｆ）の側面図である。
【００２９】
さて、チューブ７に覆設状とされた薄膜シート９と表面パネル２間に、図示の様に大きく開口された横挿入５ａ口から挿入される用紙Ｐは薄膜シート９の潤滑効果によって、スムース、且つ、軽いタッチによってワンタッチ挿入が可能となる。
次に、本発明ではＰＨ１筐体に透明性素材を用いるとともに前記図２（ｃ）に示した薄膜シート９にカラーＯＨＰシートを用いたことに関連して、図２（ｅ）に図示する様に該薄膜シート９表面に、例えば、ＰＨ１の取扱の仕方等９ｃ、商品の特徴等９ｄ、メーカ名９ｅ等をカラー印刷表示して用いることが可能となり、正に一石二鳥的効果が発揮され、ユニークで見栄え良く、商品性を高め得る。又、該薄膜シート９の表示内容は用紙Ｐの挿入により隠れる面白さがあるとともに、原稿Ｐの挿入時はマスクされるので文字読取り時の支障とはならない。
【００３０】
ところで、該薄膜シート９に例えばビニール等の柔軟性シートを用いた場合は、該摺接面が用紙Ｐの摩擦抵抗で一緒に引き摺られてしまう結果、かかる柔軟性シートでは目的が適えられないことが判明した結果、本出願人は剛性のあるＰＥＴシートに着眼した。
しかし、ＰＥＴ基板のままを前記図２（ｃ）の薄膜シート９として適用した場合、横挿入５ａに対する目的は果せ得ても下記支障が生じる。即ち、図１（ｄ）に示すＮ枚の挟持状態から上抜取５ｂ方向への抜取りに伴って、挟持紙Ｐの全部が一緒に引き摺られてしまう支障が生じる。勿論この現象は、ＰＥＴ表面の潤滑性が良すぎる結果に起因するもので、用紙間の摩擦抵抗に比してＰＥＴ基板表面の摩擦抵抗が小さい為である。
【００３１】
そこで、薄膜シート９として前記ＰＥＴ基板に合成樹脂素材をコーティングし該表面を用紙Ｐとの接触面とした場合に好結果をもたらす理由は以下の通りである。
本出願人は、図１（ｄ）等に示す薄膜シート９の適性素材を見つけるべく多くの試行錯誤と試作実験の積上げ結果から、上記薄膜シート９としてＰＥＴ基板に熱硬化性や熱可塑性合成樹脂素材をコーティング（塗布）したものを薄膜シート９にすることで前記課題が一挙に解消出来ることを多くの試作実験の積み重ね結果から見出したのである。
即ち、前記図１（ｄ）の様にチューブ７周面に該ＰＥＴコーティング面を表面にして薄膜シート９で覆設した状態で、表面パネル２間に用紙Ｐを挟持した場合は前記図１１（ｇ）を参照して説明した押圧部材７を串歯状ゴムとした実施例と同様、上記コーティング表面が挟持紙Ｐの抜取５ｂ時の摺動時に好適な粘性摩擦抵抗として作用する結果、例えば、二枚の用紙Ｐの挟持状態から一枚目の抜取りに伴って二枚目が一緒に引き摺られる課題が確実に防止し得るのである。
更に、前記コーティングＰＥＴシートを摺接面とすることで前記課題が解消されるとともに、該ＰＥＴシートの透明性、カラー印刷機能、剛性及び基板素材としての安定性等を勘案した場合に上記ＰＥＴシートが薄膜シート９として好適である。
【００３２】
さて、複数Ｎ枚の挟持状態として示した前記図１（ｂ）及び図１（ｃ）に戻って本ＰＨ１の使用方法について更に説明すると。図１（ｂ）は図１（ｄ）にＡ−Ａ断面図を示す様に、裏面ブラケット３の粘着テープ又はマグネット１０で目的のボード面に貼着し、原稿や資料類等を図１（ｂ）の様に掲示保持し、更に、表面パネル２を透して記載内容がカーソル線８に合せて読取れて所謂、原稿ホルダー等として活用するのに効果を発揮する。
一方、図１（ｃ）は図１（ｅ）にＢ−Ｂ断面図を示す様に表面パネル２に粘着テープ又はマグネット１０を貼着して用いるＰＨ１の使用方法を示している。この場合、図１（ｅ）における裏面ブラケット３に配設されカラーチューブ７が常に用紙Ｐの表側に現れるので、意匠的にもユニークで綺麗である。
例えば、赤、黄、緑、青等のカラーチューブを配設したＰＨ１として、請求書類、領収書類、その他の資料、メモ用紙等の各々をカラーチューブで色分けクリップし、書類を分類挟持する使用方法として大いに便利である。
【００３３】
なお、前記図１（ｂ）及び図１（ｃ）の使用方法と関連して、用紙Ｐのワンタッチによる横挿入５ａや、挟持紙Ｐからの抜取り機能等は図１（ａ）の表裏を反転した際にも、勿論、同様に効果が発揮される。即ち、本ＰＨ１の更なる特徴は上記の様に使用目的に応じ、表裏面を反転しての使用方法に対応し得る点である。
従って、ＰＨ１筐体の説明の便宜上から本特許願では、押圧部材７が配設される側を裏面ブラケット３、対向側を表面パネル２と称して説明するが、該名称は必ずしも取付けや使用方法を限定するものではない。そして、更に押圧部材７を表面パネル２側にも設けて用紙Ｐを両側から挟持する様にＰＨを構成してもよい。
【００３４】
さて、本発明ＰＨ１の構成内容や特徴、機能及び効果等は以上の第１実施例の詳細説明によって充分明らかになったものと思われる。従って、以下に示す第２〜第８実施例（図３〜図１０）の各実施例におけるＰＨ挟持部は、以上の第１実施例に詳述した同一原理に基づき、主に、筐体部の変形、用紙Ｐに対する挟持機能の改良、原稿ホルダーとする構成、及び、縦型構成等を前提とした各実施形態に関するものである。
従って、以下に示すその他の最良実施形態に関しては完備した図面を提示し、前記との重複説明は極力省略して各実施例の要点を簡潔に記述するに留める。
【実施例２】
【００３５】
図３は、第２実施例のＰＨ１の各構成部品と斜視図を示す。前記第１実施例の筐体部は裏面ブラケット３と表面パネル２の各々を成形後に合体支持部４で合体固着した実施例であったが、図３の第２実施例は該合体支持部４を予め一体成形する実施例である。
この第２実施例では、図２（ａ）に表面パネル２の一部を破断して示す様に、裏面ブラケット３と表面パネル２を合体支持部４で一体連結して成形することに関連して、図示の様に溝６を挿入ガイド部３ａまで通し加工してある。例えば、本ホルダー筐体を射出成形する場合は成形後に間隙（ｄ）５を若干開口操作しつつコアー金型を抜取ればよい。
一方、挿入ガイド部３ａまで貫通加工した溝６は図３（ｂ）の様にチューブ７挿入後、挿入ガイド部３ａへの薄膜シート９の貼着形成によって該開口溝を閉蓋することでチューブ７の抜け落ちが防止される。
【００３６】
次に、図３（ｃ）の実施例では開口した上下側端部の一部を図示の様に切欠部６ａとして加工し、該側面からチューブ７挿入後に側面蓋１１を固着する実施例である。更に、図３（ｄ）の薄膜シート９の加工例は、挿入ガイド部３ａ部分のみを折曲げ部分９ａとして図３（ｅ）の様に薄膜シート９の両端を裏面ブラケット３に貼着する実施例である。そして、ＰＨ１に組立された第２実施例は、図３（ｆ）に示す外観の横挿入５ａ専用である。なお、チューブ７挿入用の切欠口は裏面ブラケット３の裏面側に加工してもよい。
因みに、図３（ｆ）のＰＨ１における実施例寸法について記載すると、全長Ｌ１：１５０ｍｍ、高さＨ１：１８ｍｍ、奥行きＤ：１８ｍｍ、押圧部材７としてのカラーチューブは、外径ｄ１：８．５ｍｍ、内径ｄ２：６ｍｍであり、図３の様に一個で用いる場合はＬ２:５〜６ｍｍとしてチューブ７を挿入側のみに配置した実施例である。
なお、図３（ｇ）に示す実施例ゴム素材はクロロプレン（ＣＲ）製のカラーゴムチューブを用いており、該ゴム硬度：３５±５度のものを適用して満足すべき結果を得ている。
【実施例３】
【００３７】
図４は、本ＰＨ１をモニタ枠に取付けてキーボードからの入力作業時に画面側方に、原稿や資料類の掲示用原稿ホルダーとする第３実施例を示す。
図４（ａ）は、前記各実施例で構成されたＰＨ１の裏面ブラケット３をモニタ１２の水平枠１２ａに粘着テープ１０で貼着し、複数Ｎ枚の原稿Ｐの挟持状態を示す。
図４（ｂ）は、シャフト１５を備えて合成樹脂素材で加工した保持ブラケット１４である。そして、前記の様に構成されたＰＨ１の合体支持部４に回動穴１３を設けて該回動穴１３を保持ブラケット１４のシャフト１５に回動可能な様に嵌合し、モニタ枠への取付け用とした原稿ホルダー実施例である。図４（ｃ）は保持ブラケット１４を粘着テープ１０で左垂直枠１２ｂに貼着し、ＰＨ１を水平枠１２ａに折畳んだ状態、図４（ｄ）はＰＨ１をモニタ１２側方に開いた使用状態を示している。
図４（ｅ）は、ノート型ＰＣの上蓋１７の水平枠に図示のような埋込溝１７ａを設け、図４（ｆ）に図４（ｅ）のＣ−Ｃ断面の埋込溝１７ａを拡大図示する様にＰＨ１の合体支持部４の回動穴１３にネジシャフト１８をねじ込んで回動可能な様に、該上蓋１７にＰＨ１を一体構成した実施例である。そして、図４（ｅ）はＰＨ１を埋込溝１７ａに折畳んだ不使用時の状態である。
【実施例４】
【００３８】
次に、ＰＨ１を原稿ホルダーとする第４実施例について図５及び図６を同時参照しつつ関連的に説明する。
この第４実施例では、図５（ａ）に示す様にＰＨ１のホルダー筐体を合体支持部４近傍で表面パネル２側に折曲げ、用紙Ｐの垂直端部を図６（ａ）の様に曲面状に挟持保持する実施例である。本ＰＨ１は、図５（ａ）や図５（ｂ）のＤ−Ｄ線方向の切断拡大斜視図を図５（ｃ）に示す様に、挟持部は前記各実施例と同様構成であるが曲面領域１９にはチューブ７を敢えて設ける必要はない。
即ち、本ＰＨ１では図６（ａ）の様に挟持原稿Ｐを端部の最終行２０近傍まで引上げた場合も、原稿Ｐ垂直端が曲面状に挟持される剛性腰強さ効果で前後方向への折曲りが防止されて、原稿Ｐを図６（ａ）及び図６（ｄ）の様にモニタやデスプレィ側方に設立掲示することが可能となり、座高の低いノート型ＰＣ１６原稿ホルダーにも供し得る。
【００３９】
図６（ｂ）は、シャフト１５にＰＨ１の回動穴１３を勘合して図６（ｃ）、図６（ｄ）の様にＰＨ１をノート型ＰＣ１６用の原稿ホルダーとする為のクリップ式ホルダー２１である。図６（ｃ）はノート型ＰＣ１６の右垂直枠１２ｃに取付けて折畳んだ状態、図６（ｄ）は開いて原稿Ｐ保持した使用状態である。
次に、図５（ｂ）のＰＨ１は図示の様に中央部分が直線（領域：Ｌ３）で両端が曲面領域１９（Ｌ４）とされ、本実施例では両端部が合体されれるとともに該合体支持部４の両側に各々回動穴１３が加工されている。そして、該回動穴１３を前記図４（ｂ）の保持ブラケット１４に回動支持することで図６（ｅ）の様に、モニタの左右の何れにも取付け可能とした原稿ホルダーである。なお、図５（ｂ）は用紙Ｐの下挿入５ｃ、上抜取５ｂとしたＰＨ１である。
【実施例５】
【００４０】
さて、第５実施例のＰＨ１としては図７に示す様に、例えば、モニタ１２の垂直枠に裏面ブラケット３を直接貼着する原稿ホルダーとして図示の様に縦型の原稿ホルダーとした実施例である。即ち、図７（ａ）に斜視図を示し該Ｅ−Ｅ線断面を図７（ｂ）に示す様に本実施例では裏面ブラケット３の開口曲面ガイド部２６ａを伸長して原稿支持部２６を形成し、本実施例では図７（ｃ）のカーソル２８端部の摺動凸部２８ｂをカーソル溝２７に係合し、図７（ｄ）の様に組立して摺動方向２９へ摺動自在構成として該カーソル２８により原稿入力行の視認を行い得る構成としている。
そして、図７（ｅ）に使用状況を示す様に原稿の縦端部を曲面挟持し前記実施例同様、原稿Ｐを折曲り防止して原稿ホルダーとする第５実施例である。
【実施例６】
【００４１】
図８は、前記ＰＨ１の発明原理に基づいて小型（コンパクト）にした縦型ＰＨ１の第６実施例である。本実施例ＰＨ１の斜視図例を図８（ａ）に、該Ｆ−Ｆ線断面を図８（ｂ）に示す。図８（ａ）の実施例では粘着テープ（又はマグネット）１０を裏面ブラケット３に貼着して表面パネル２が表側になる様に縦型とする実施例である。
一方、図８（ｄ）に用紙Ｐの保持状態を示したＰＨ１の他の第８実施例では表面パネル２側に粘着テープ（又はマグネット）１０を設けて裏面ブラケット３を表側配置とし、即ち、図８（ｃ）の断面図の様にチューブ７が表側に表れる様に使用する実施例である。
本ＰＨ１は、例えば、車のダッシュボード、電話機近傍の壁、冷蔵庫等に貼着して通行券、領収書、メモ紙等の横挿入５ａ、上抜取５ｂ構成として実施することにより着脱がし易く、メモクリップ用等として好適である。
【実施例７】
【００４２】
さて、図９は前記図１２に従来のデータスタンド３０として示したクリップ５０を本発明のＰＨ１で置換えて構成した第７実施例である。
即ち、図９（ａ）のＧ−Ｇ線断面拡大図を図９（ｂ）に示す様に本第７実施例ＰＨ１は図示の一点斜線で囲った部分の裏面ブラケット３をボード３２に一体構成した実施例である。
即ち、原稿Ｐやデータ書類等の掲示用として一般にデータスタンド３０が用いられるが、従来のばね式クリップを用いた場合は、原稿Ｐの着脱操作時に不可避的に両手を必要とし、且つ、原稿一枚ずつを着脱操作する煩わしい不便課題があった。本ＰＨ１を組み込んでデータスタンド３０を構成した場合は、原稿Ｐが横挿入５ａ方向からワンタッチでセット出来て、予め複数枚の原稿Ｐを挟持した状態から入力済みの一枚ずつが抜取れるので原稿ホルダーとして用いる場合、入力作業が効率的に行い得る。
なお、前記実施例に示したＰＨ１筐体のままを図９（ａ）のボード３２に組み込んだ形態でデータスタンド３０を構成してもよい。
【実施例８】
【００４３】
図１０の各図は、用紙Ｐの押圧部材７における前記ゴムチューブ以外の他の代表的実施例を示したものである。
以上に各実施例とともに説明した様に本発明のＰＨ１挟持部は、用紙Ｐを下又は横挿入として上抜取りに構成にするとともに、押圧部材７を薄膜シート９で覆設した状態で用紙Ｐを押圧挟持する様に基本構成したものである。
従って、押圧部材７として、要は、所定の押圧力で挟持紙Ｐを押圧挟持し得れば良いのので、該実施例としては図１０（ａ）〜図１０（ｄ）に示す様に各種形体のものを用いることが出来る。
図１０（ａ）は、前記図１１ともに説明した串歯状ゴム３３、図１０（ｂ）はステンレスやリン青銅等の薄ばね板材で加工した串歯状ばね板３５、図１０（ｃ）はスポンジ３６、図１０（ｄ）は変形チューブ３７の夫々を押圧部材７に供し得る様にしたものである。
【００４４】
そして、図１０（ｅ）は前記ＰＨ１の端部を切断した斜視図である。裏面ブラケット３の溝６に串歯状ゴム７の取付底部３４を固着し、前記実施例同様に薄膜シート９及び表面パネル２を用いてＰＨ１を構成することが出来る。そして、該組立されたＰＨ１にＮ枚を挟持保持した状態から一枚目を抜取る断面状況を示したのが図１０（ｆ）である。
なお、図１０（ｆ）は前記図１１（ｃ）に実験モデル筐体１Ｊとして示した挟持部に対し、串歯状ゴム３３に薄膜シート９を覆設して横挿入課題を解消した第８実施例である。
又、図１０（ｇ）は串歯状薄ばね板７を押圧部材７として溝６に配設して、図１０（ｈ）は該溝６にスポンジクッション７を配設した実施例ＰＨ１端部切断による斜視図状況を夫々示している。なお、図１０（ｅ）の裏面ブラケット３の凹み部分３ｂは金型成形時の都合を勘案したもので、成形肉厚を均一に成形加工する為のものである。
【００４５】
以上に説明したＰＨは、下記の様に実施してもよい。
１）前記実施例では、裏面ブラケット３及び表面パネル２の筐体を厚手均一素材として図示したが、金型による成形加工時は所謂リブ入り加工として剛性を保ちつつ、材料や重量の軽減を図る形態の加工が望ましい。
２）裏面ブラケット３の溝６に対して、押圧部材７を長手方向に配設した実施例を示したが、例えば、図２では溝６を縦方向に加工し複数個のチューブを縦配置として構成してもよい。
３）本ＰＨの使用方法として、例えば、図１（ｂ）、図１（ｂ）における横方向配置の標準的な使い方に対して、９０度回した縦方向配置として使用することもできる。この場合、下及び横挿入と関連して下及び横抜取りになるので挟持紙は当然落ち易くなる。
【産業上の利用可能性】
【００４６】
本ＰＨは、例えば、用紙以外の医師の診察用のレントゲン写真等の掲示用等としても適用出来る。
【図面の簡単な説明】
【００４７】
【図１】ペーパーホルダー（ＰＨ）の第１実施例の斜視図、使用状態及び断面図である。
【図２】第１実施例の各構成部品細部の斜視図、組立状況である。
【図３】第２実施例の各構成部品及び組立状況である。
【図４】原稿ホルダーとした斜視図、取付けブラケット及びモニタに一体型構成とする第３実施例である。
【図５】端部を曲面状としたペーパーホルダーの第４実施例である。
【図６】原稿端部を曲面状に保持して折曲り防止した第４実施例の使用状況及び構成部品の斜視図である。
【図７】縦型原稿ホルダーとする第５実施例の斜視図と構成部品及び各細部である。
【図８】縦型小型に形成する場合の第６実施例の斜視図、断面図、使用状態である。
【図９】ボードに組み込んでデータスタンドとした第７実施例と断面図である。
【図１０】各種の押圧部材と、それらで構成した第８実施例の斜視図である。
【図１１】押圧部材と挟持部の課題及び本ＰＨ課題及び原理説明用の実験モデルである。
【図１２】従来の原稿挟持用のデータスタンドの実施例である。
【図１３】特許文献４の特許第２５２９６１７号公報から引用した開示技術である。
【符号の説明】
【００４８】
１  ペーパーホルダー（ＰＨ）
１Ｊ  実験モデル筐体
２  表面パネル
２ａ、３ａ  挿入ガイド部
３  裏面ブラケット
３ｂ  凹み部分
４  合体支持部
５  間隙（ｄ）
５ａ  横挿入
５ｂ  上抜取
５ｃ  下挿入
６  溝
７  押圧部材
８  カーソル線
９  薄膜シート
９ａ  折曲げ部分
９ｂ  粘着テープ貼着
９ｃ  取扱の仕方等
９ｄ  商品の特徴等
１０  粘着テープ（又はマグネット）
１１  側面蓋
１２  モニタ
１２ａ  水平枠
１２ｂ  左垂直枠
１３  回動穴
１４  保持ブラケット
１５  シャフト
１６  ノート型ＰＣ
１７  上蓋
１７ａ  埋込溝
１８  ネジシャフト
１９  曲面領域
２０  最終行
２１  クリップ式ホルダー
２２  主板
２３  挟み板
２４  支点ピン
２５  スプリング
２６  原稿支持部
２７  カーソル溝
２８  カーソル
２８ａ  曲端
２８ｂ  摺動凸部
２８ｃ  屈曲部
２９  摺動方向
３０  データスタンド
３１  スタンド
３２  ボード
３３  串歯状ゴム
３４  取付底部
３５  串歯状ばね板
３６  スポンジ
３７  変形チューブ
Ｐ    用紙（挟持紙、原稿）
【図１】
2005160693.tif 000003
【図２】
2005160693.tif 000004
【図３】
2005160693.tif 000005
【図４】
2005160693.tif 000006
【図５】
2005160693.tif 000007
【図６】
2005160693.tif 000008
【図７】
2005160693.tif 000009
【図８】
2005160693.tif 000010
【図９】
2005160693.tif 000011
【図１０】
2005160693.tif 000012
【図１１】
2005160693.tif 000013
【図１２】
2005160693.tif 000014
【図１３】
2005160693.tif 000015